【事件の表示】
　特願２０１３−　９９１９５「遊技機」拒絶査定不服審判事件〔平成２６年１１月２０日出願公開、特開２０１４−２１７６０２〕について、次のとおり審決する。
【結　論】
　本件審判の請求は、成り立たない。
【理　由】
１．手続の経緯
　本願は，平成２５年５月９日の出願であって，平成２７年５月２８日付けで拒絶査定され，これに対し，同年９月１日に拒絶査定不服審判の請求がなされ，同日付けで手続補正がなされ，当審において，平成２８年６月１７日付けで拒絶理由が通知され，これに対し同年８月１８日付けで手続補正がなされたものである。
２．本願発明
　平成２８年８月１８日付けの手続補正により補正された特許請求の範囲の請求項１に係る発明（以下「本願発明」という。）は，その請求項１に記載された事項により特定される，次のとおりのものと認める。
「【請求項１】
　所定の判定条件の成立により遊技者に有利な特別遊技を行うか否かを判定する判定手段と，
　前記判定手段による判定が行われると，所定時間だけ図柄を変動表示させた後に，当該判定手段による判定結果に対応付けられた図柄を停止表示させる図柄表示手段と，
　遊技における演出用の発光部材を設けた演出部材と，
　を備え，
　前記演出部材に設けられた前記演出用の発光部材の少なくとも一部が，
　前記図柄表示手段により図柄の前記変動表示が行われる際に，当該変動表示に対応して特定された第１の発光態様で発光し，
　前記図柄表示手段により図柄の前記停止表示が行われる際に，当該停止表示に対応して特定されるとともに前記判定手段による判定結果に対応付けられず，前記第１の発光態様とは異なる第２の発光態様で発光し，
　前記少なくとも一部の前記演出用の発光部材は，第１始動口への入賞にともなって前記第１の発光態様および前記第２の発光態様で発光する第１発光部材と，第２始動口への入賞にともなって当該第１の発光態様および当該第２の発光態様で発光する第２発光部材とを有することを特徴とする，遊技機。」
３．当審における拒絶理由
　当審における平成２８年６月１７日付けの拒絶理由の概要は次のとおりである。
（１）本願の請求項１に係る発明は，その出願前日本国内または外国において頒布された下記の刊行物に記載された発明であるから，特許法第２９条第１項第３号に該当し，特許を受けることができない。
（２）本願の請求項１に係る発明は，その出願前日本国内または外国において頒布された下記の刊行物に記載された発明に基いて，その出願前にその発明の属する技術の分野における通常の知識を有する者が容易に発明をすることができたものであるから，特許法第２９条第２項の規定により特許を受けることができない。
刊行物１：特開２０１３−４８７６４号公報
４．刊行物
　当審における平成２８年６月１７日付けの拒絶理由において刊行物１として引用した特開２０１３−４８７６４号公報（以下，「刊行物１」という。）には，図面とともに，以下の事項が記載されている（下線は当審で付した。）。
（ア）「【０００９】
［第１の実施の形態］
　以下，図面を用いて，本発明の第１の実施の形態による遊技台（例えば，パチンコ機等の弾球遊技機やスロットマシン等の回胴遊技機）について説明する。まず，図１および図２を用いて，本実施の形態による
パチンコ機１００
（イ）「【００３４】
　また演出装置２０６には，装飾図柄表示装置２０８の表示画面の右側に隣接して，補助表示部８００が設けられている。
補助表示部８００は，
所定の演出情報を表示するため
ＬＥＤ表示装置によって構成されている
（ウ）「【００５２】
　次に，図７（ａ）〜（ｃ）を用いて，パチンコ機１００の特図１表示装置２１２，特図２表示装置２１４，装飾図柄表示装置２０８，普図表示装置２１０が停止表示する特図および普図の種類について説明する。図７（ａ）は特図の停止図柄態様の一例を示したものである。
特図１始動口２３０に球が入球したことを第１始動口センサが検出したことを条件として特図１変動遊技が開始され，特図２始動口２３２に球が入球したことを第２始動口センサが検出したことを条件として特図２変動遊技が開始され
特図１変動遊技が開始されると，特図１表示装置２１２は
特図１の変動表示
を行
特図２変動遊技が開始されると，特図２表示装置２１４は
特図２の変動表示
を行
【００５３】
　そして，
特図１の変動開始前に決定した変動時間が経過すると，特図１表示装置２１２は特図１の停止図柄態様を停止表示し，特図２の変動開始前に決定した変動時間が経過すると，特図２表示装置２１４は特図２の停止図柄態様を停止表示
【００５４】
　図７（ａ）には，図柄変動停止表示における
停止図柄態様として「特図Ａ」
の特図
「特図Ａ」は１５ラウンド（１５Ｒ）特別大当り図柄
（エ）「【００６２】
　図７（ｂ）は装飾図柄の一例を示したものである。本実施形態の装飾図柄には，「装飾１」〜「装飾１０」の１０種類がある。本実施形態では，「装飾１」，「装飾２」，「装飾４」〜「装飾６」および「装飾８」〜「装飾１０」の各装飾図柄の表示色は所定の色（図中，白色）であり，「装飾３」および「装飾７」の各装飾図柄の表示色は当該所定の色とは異なる特定色（図中，グレー）である。以下，特定色の２種類の装飾図柄「装飾３」および「装飾７」のことを「特定装飾図柄」という場合がある。特図１始動口２３０または特図２始動口２３２に球が入賞したこと，すなわち，
特図１始動口２３０に球が入球したことを第１始動口センサが検出したこと，あるいは特図２始動口２３２に球が入球したことを第２始動口センサが検出したことを条件にして，装飾図柄表示装置２０８
装飾図柄の変動表示
行う
【００６３】
　そして，
「特図Ａ」の
を報知する場合には，
同じ装飾図柄が３つ並んだ図柄組合せ
を停止表示する
・・・
【００６５】
　図示していないが，本実施形態の
第四図柄の表示態様には，黒色円形状の黒丸図柄と，白色円形状の白丸図柄との２種類がある
黒丸図柄は装飾図柄の停止表示中に表示され，白丸図柄は装飾図柄の変動表示中に表示される
（オ）「【００８９】
　
特図１始動口２３０へ入賞があった場合
特図１当選乱数値を取得
特図１乱数値を取得
【００９０】
　
特図２始動口２３２へ入賞があった場合
特図２当選乱数値を取得
特図２乱数値を取得
（カ）「【０１１８】
　特図２関連抽選処理（ステップＳ２２９）の場合には，
主制御部３００は，
特図２当選乱数値および特図２乱数値の組
を取得し，
特図２当選乱数値に基づいて，
大当りとするか
の決定を行
次いで，
特図２乱数値に基づいて，
特図２の変動表示後に停止表示する
停止図柄
の決定を行
次いで，
決定した当否判定結果，停止図柄
に基づいて，
特図２の図柄変動表示時間
の決定を行
・・・
【０１２０】
　以上のような特図２関連抽選処理（ステップＳ２２９）の後に，特図１関連抽選処理（ステップＳ２３１）が同様にして行われる。」
（キ）「【０１５８】
　次に，本実施の形態のパチンコ機１００が備える補助表示部８００の構成について説明する。図１２は，補助表示部８００の表示領域の例を示している。図１２に示すように，
補助表示部８００の表示領域には，個別に点消灯可能な複数のセグメントＬＥＤが配置されている
【０１５９】
　
補助表示部８００の表示領域
・・・
【０１６１】
　７セグメント部８０２ｃの右下方
には，
ドットセグメント８０２ｅが設けられ
第四図柄表示領域２０８ｅでの表示に対応して
ドットセグメント８０２ｅは，
第四図柄表示領域２０８ｅに黒丸図柄が表示されるとき
装飾図柄の停止表示中
に点灯し
第四図柄表示領域２０８ｅに白丸図柄が表示されるとき
装飾図柄の変動表示中
に
点滅する
（ク）上記（オ）の段落【００８９】には，特図１始動口２３０へ入賞があった場合，特図１当選乱数値を取得し，特図１乱数値を取得すること，段落【００９０】には，特図２始動口２３２へ入賞があった場合，特図２当選乱数値を取得し，特図２乱数値を取得すること，上記（カ）の段落【０１１８】には，主制御部３００は，特図２当選乱数値および特図２乱数値の組を取得し，特図２当選乱数値に基づいて大当りとするかの決定を行い，次いで，特図２乱数値に基づいて特図２の変動表示後に停止表示する停止図柄の決定を行い，次いで，決定した当否判定結果，停止図柄に基づいて，特図２の図柄変動表示時間の決定を行うこと，段落【０１２０】には，特図２関連抽選処理の後に，特図１関連抽選処理が同様にして行われること，が記載されていることから，
特図１始動口２３０または特図２始動口２３２へ入賞があった場合，特図１当選乱数値および特図１乱数値の組または特図２当選乱数値および特図２乱数値の組を取得し，特図１当選乱数値または特図２当選乱数値に基づいて大当りとするかの当否判定結果の決定を行い，次いで，特図１乱数値または特図２乱数値に基づいて特図１または特図２の変動表示後に停止表示する停止図柄の決定を行い，次いで，決定した当否判定結果，停止図柄に基づいて，特図１または特図２の変動時間の決定を行う主制御部３００
（ケ）上記（ウ）の段落【００５２】には，特図１表示装置２１２は，特図１の変動表示を行うこと，特図２表示装置２１２は，特図２の変動表示を行うこと，段落【００５３】には，特図１の変動開始前に決定した変動時間が経過すると，特図１表示装置２１２は特図１の停止図柄態様を停止表示し，特図２の変動開始前に決定した変動時間が経過すると，特図２表示装置２１４は特図２の停止図柄態様を停止表示すること，との記載から，
変動時間の決定後に，特図１または特図２の変動表示を行い，変動時間が経過すると特図１または特図２の停止図柄を停止表示する特図１表示装置２１２または特図２表示装置２１４
（コ）上記（ウ）の段落【００５２】には，特図１始動口２３０に球が入球したことを第１始動口センサが検出したことを条件として特図１変動遊技が開始され，特図２始動口２３２に球が入球したことを第２始動口センサが検出したことを条件として特図２変動遊技が開始され，特図１変動遊技が開始されると，特図１表示装置２１２は特図１の変動表示を行い，特図２変動遊技が開始されると，特図２表示装置２１４は特図２の変動表示を行うこと，上記（エ）の段落【００６２】には，特図１始動口２３０に球が入球したことを第１始動口センサが検出したこと，あるいは特図２始動口２３２に球が入球したことを第２始動口センサが検出したことを条件にして，装飾図柄表示装置２０８は装飾図柄の変動表示を行うこと，との記載から，特図１表示装置２１２または特図２表示装置２１４での特図１または特図２の変動表示が行われる際に，装飾図柄表示装置２０８での装飾図柄の変動表示が行われることは，明らかである。
　そして，上記（エ）の段落【００６５】には，第四図柄の表示態様には，黒色円形状の黒丸図柄と，白色円形状の白丸図柄との２種類があり，黒丸図柄は装飾図柄の停止表示中に表示され，白丸図柄は装飾図柄の変動表示中に表示されること，上記（キ）の段落【０１６１】には，ドットセグメント８０２ｅは，装飾図柄の変動表示中に第第四図柄表示領域２０８ｅに白丸図柄が表示されることに対応して，点滅すること，が記載されている。
　これらの記載から，ドットセグメント８０２ｅは，
特図１または特図２の変動表示中に第四図柄表示領域２０８ｅに白丸図柄が表示されることに対応して，点滅する
（サ）上記（ウ）の段落【００５３】には，変動時間が経過すると，特図１表示装置２１２は特図１の停止図柄態様を停止表示し，変動時間が経過すると，特図２表示装置２１４は特図２の停止図柄態様を停止表示すること，段落【００５４】には，停止図柄態様として「特図Ａ」の特図があること，上記（エ）の段落【００６３】には，「特図Ａ」を報知する場合には，装飾図柄表示装置２０８は同じ装飾図柄が３つ並んだ図柄組合せを停止表示すること，との記載から，特図１表示装置２１２または特図２表示装置２１４で特図１または特図２の停止表示が行われる際に，装飾図柄表示装置２０８での装飾図柄の停止表示が行われることが，記載されているといえる。
　そして，上記（エ）の段落【００６５】には，第四図柄の表示態様には，黒色円形状の黒丸図柄と，白色円形状の白丸図柄との２種類があり，黒丸図柄は装飾図柄の停止表示中に表示され，白丸図柄は装飾図柄の変動表示中に表示されることが記載されていることから，第四図柄の黒丸図柄は決定した当否判定結果に対応しないことは，明らかである。
　上記（キ）の段落【０１６１】には，ドットセグメント８０２ｅは，装飾図柄の停止表示中に第四図柄表示領域２０８ｅに黒丸図柄が表示されることに対応して，点灯すること，が記載されている。
　これらの記載から，ドットセグメント８０２ｅは，
特図１または特図２の停止表示中に第四図柄表示領域２０８ｅに決定した当否判定結果に対応しない黒丸図柄が表示されることに対応して，点灯する
（シ）上記（ク）の認定事項の特図１始動口２３０または特図２始動口２３２へ入賞があった場合，特図１当選乱数値および特図１乱数値の組または特図２当選乱数値および特図２乱数値の組を取得して特図１乱数値または特図２乱数値に基づいて特図１または特図２の変動表示を行うこと，上記（コ）の認定事項のドットセグメント８０２ｅは，特図１または特図２の変動表示中に第四図柄表示領域２０８ｅに白丸図柄が表示されることに対応して，点滅すること，上記（サ）の認定事項のドットセグメント８０２ｅは，特図１または特図２の停止表示中に第四図柄表示領域２０８ｅに決定した当否判定結果に対応しない黒丸図柄が表示されることに対応して，点灯することとから，
ドットセグメント８０２ｅは，特図１始動口２３０または特図２始動口２３２へ入賞があった場合，点滅および点灯する
　したがって，上記（ア）〜（キ）の記載事項及び上記（ク）〜（シ）の認定事項を総合すると，刊行物１には次の発明（以下，「引用発明」という。）が記載されている。
「特図１始動口２３０または特図２始動口２３２へ入賞があった場合，特図１当選乱数値および特図１乱数値の組または特図２当選乱数値および特図２乱数値の組を取得し，特図１当選乱数値または特図２当選乱数値に基づいて大当りとするかの当否判定結果の決定を行い，次いで，特図１乱数値または特図２乱数値に基づいて特図１または特図２の変動表示後に停止表示する停止図柄の決定を行い，次いで，決定した当否判定結果，停止図柄に基づいて，特図１または特図２の変動時間の決定を行う主制御部３００と，
　変動時間の決定後に，特図１または特図２の変動表示を行い，変動時間が経過すると特図１または特図２の停止図柄を停止表示する特図１表示装置２１２または特図２表示装置２１４と，
　所定の演出情報を表示するためＬＥＤ表示装置によって構成されている補助表示部８００と，
　を有し，
　補助表示部８００の表示領域に設けられたドットセグメント８０２ｅが，
　特図１または特図２の変動表示中に第四図柄表示領域２０８ｅに白丸図柄が表示されることに対応して，点滅し，
　特図１または特図２の停止表示中に第四図柄表示領域２０８ｅに決定した当否判定結果に対応しない黒丸図柄が表示されることに対応して，点灯し，
　ドットセグメント８０２ｅは，特図１始動口２３０または特図２始動口２３２へ入賞があった場合，点滅および点灯する，
　パチンコ機１００。」
５．対比
　本願発明と引用発明とを対比する。
（ａ）引用発明の「特図１当選乱数値または特図２当選乱数値に基づいて大当りとするかの当否判定結果の決定を行」うことは，本願発明の「所定の判定条件の成立により遊技者に有利な特別遊技を行うか否かを判定する」ことに相当する。
　このことから，引用発明の「特図１始動口２３０または特図２始動口２３２へ入賞があった場合，特図１当選乱数値および特図１乱数値の組または特図２当選乱数値および特図２乱数値の組を取得し，特図１当選乱数値または特図２当選乱数値に基づいて大当りとするかの当否判定結果の決定を行い，次いで，特図１乱数値または特図２乱数値に基づいて特図１または特図２の変動表示後に停止表示する停止図柄の決定を行い，次いで，決定した当否判定結果，停止図柄に基づいて，特図１または特図２の変動時間の決定を行う主制御部３００」は，本願発明の「所定の判定条件の成立により遊技者に有利な特別遊技を行うか否かを判定する判定手段」の機能を備えている。
（ｂ）引用発明の「変動時間の決定後」は，大当たりとするか（当否判定結果）の決定の後であるから，本願発明の「前記判定手段による判定が行われ」た後に相当するものである。
　また，引用発明の「停止図柄」は，本願発明の「当該判定手段による判定結果に対応付けられた図柄」に相当する。
　そうすると，引用発明の「変動時間の決定後に，特図１または特図２の変動表示を行い，変動時間が経過すると特図１または特図２の停止図柄を停止表示する特図１表示装置２１２または特図２表示装置２１４」は，本願発明の「前記判定手段による判定が行われると，所定時間だけ図柄を変動表示させた後に，当該判定手段による判定結果に対応付けられた図柄を停止表示させる図柄表示手段」に相当する。
（ｃ）引用発明の「ＬＥＤ表示装置」は，本願発明の「発光部材」に相当する。
　また，引用発明の「補助表示部８００」は，「演出部材」に相当する。
　したがって，引用発明の「所定の演出情報を表示するためＬＥＤ表示装置によって構成されている補助表示部８００」は，本願発明の「遊技における演出用の発光部材を設けた演出部材」に相当する。
（ｄ）引用発明の「補助表示部８００の表示領域に設けられたドットセグメント８０２ｅ」は，補助表示部８００に配置された個別に点消灯可能なセグメントＬＥＤであるから，本願発明の「前記演出部材に設けられた前記演出用の発光部材の少なくとも一部」に相当する。
（ｅ）引用発明の「特図１または特図２の変動表示中」は，本願発明の「前記図柄表示手段により図柄の前記変動表示が行われる際」に相当し，引用発明の「点滅」は，本願発明の「第１の発光態様で発光」に相当する。
　よって，引用発明の「特図１または特図２の変動表示中に第四図柄表示領域２０８ｅに白丸図柄が表示されることに対応して，点滅」する構成は，本願発明の「前記図柄表示手段により図柄の前記変動表示が行われる際に，当該変動表示に対応して特定された第１の発光態様で発光」する構成に相当する。
（ｆ）引用発明の「特図１または特図２の停止表示中」は，本願発明の「前記図柄表示手段により図柄の前記停止表示が行われる際」に相当し，引用発明の「点灯」は，本願発明の「前記第１の発光態様とは異なる第２の発光態様で発光」に相当する。
　また，引用発明のドットセグメント８０２ｅは「第四図柄表示領域２０８ｅに決定した当否判定結果に対応しない黒丸図柄が表示されることに対応して，点灯する」ことから，ドットセグメント８０２ｅの「点灯」は決定した当否判定結果に対応しないものといえる。
　以上より，引用発明「特図１または特図２の停止表示中に第四図柄表示領域２０８ｅに決定した当否判定結果に対応しない黒丸図柄が表示されることに対応して，点灯する」構成は，本願発明の「前記図柄表示手段により図柄の前記停止表示が行われる際に，当該停止表示に対応して特定されるとともに前記判定手段による判定結果に対応付けられず，前記第１の発光態様とは異なる第２の発光態様で発光」する構成に相当する。
（ｇ）引用発明の「ドットセグメント８０２ｅ」，「特図１始動口２３０」及び「特図２始動口２３２」は，それぞれ本願発明の「前記少なくとも一部の前記演出用の発光部材」，「第１始動口」及び「第２始動口」に相当する。
　また，上記（ｅ），（ｆ）で検討したとおり，引用発明の「点滅」及び「点灯」は，それぞれ本願発明の「第１の発光態様で発光」及び「前記第１の発光態様とは異なる第２の発光態様で発光」に相当する。
　以上より，引用発明の「ドットセグメント８０２ｅ」は，本願発明と「前記少なくとも一部の前記演出用の発光部材」は「第１始動口」及び「第２始動口の入賞にともなって前記第１の発光態様および前記第２の発光態様で発光する」「発光部材を有する」点で共通している。
（ｈ）引用発明の「パチンコ機１００」は，本願発明の「遊技機」に相当する。
　上記（ａ）〜（ｈ）により，本願発明と引用発明とは，
［一致点］
「所定の判定条件の成立により遊技者に有利な特別遊技を行うか否かを判定する判定手段と，
　前記判定手段による判定が行われると，所定時間だけ図柄を変動表示させた後に，当該判定手段による判定結果に対応付けられた図柄を停止表示させる図柄表示手段と，
　遊技における演出用の発光部材を設けた演出部材と，
　を備え，
　前記演出部材に設けられた前記演出用の発光部材の少なくとも一部が，
　前記図柄表示手段により図柄の前記変動表示が行われる際に，当該変動表示に対応して特定された第１の発光態様で発光し，
　前記図柄表示手段により図柄の前記停止表示が行われる際に，当該停止表示に対応して特定されるとともに前記判定手段による判定結果に対応付けられず，前記第１の発光態様とは異なる第２の発光態様で発光し，
　前記少なくとも一部の前記演出用の発光部材は，第１始動口及び第２始動口の入賞にともなって前記第１の発光態様および前記第２の発光態様で発光する発光部材を有する，
遊技機。」
　である点で一致し，以下の点で相違する。
［相違点］
　「第１始動口」と「第２始動口」への入賞にともなって発光させる「前記少なくとも一部の前記演出用の発光部材」について，本願発明は，２つの始動口のそれぞれに対応して２つの発光部材を有するのに対し，引用発明では，両方の始動口に対応して１つの発光部材を有する点。
６．判断
　上記相違点について検討する。
　本願出願前の遊技機の分野において，特図の変動表示中の状態と停止表示中の状態とを識別可能にする表示部を設ける際に，２つの始動口にそれぞれ対応した２つの表示部を設けることは周知技術（例えば，特開２０１０−２６４０２６号公報の段落【００２７】〜【００３１】，【００５５】〜【００５６】，【０６１０】〜【０６１３】（図８５〜８６）には，遊技球が第１始動入賞口１３に入り第１始動口スイッチ１３ａで検出されると，第１特別図柄の変動表示を開始し，変動表示に同期して，第１特別図柄用の第４図柄表示領域９ｃにおいて点滅表示し，第１特別図柄の変動表示が停止すると点灯表示になり，遊技球が第２始動入賞口１４に入り第２始動口スイッチ１４ａで検出されると，第２特別図柄の変動表示を開始し，変動表示に同期して，第２特別図柄用の第４図柄表示領域ｄにおいて点滅表示し，変動表示が停止すると点灯表示になることが記載されている。特開２０１２−１５２５２３号公報の段落【０１４０】〜【０１４１】，【０３６５】〜【０３７４】（図３０〜３２）には，右始動入賞口スイッチ８０又は左始動入賞口スイッチ８２から入賞検出信号（ＯＮ）が入力されると，それぞれ第１特別図柄又は第２特別図柄の変動表示を行い，第１特別図柄の変動表示に同期して，第４図柄Ｚ１が表示色を変化させることで変動表示し，停止表示に同期して停止表示され，同様に第２特別図柄に同期して，第４図柄Ｚ２が変動表示または停止表示することが記載されている。以下，「周知技術」という。）である。
　そして，引用発明の少なくとも一部の前記演出用の発光部材と上記周知技術の表示部とは，特図の変動表示中の状態と停止表示中の状態とを識別可能に表示する点で共通するから，引用発明の少なくとも一部の前記演出用の発光部材に，上記周知技術を適用して，第１始動口に対応した発光部材（特図１用の第四図柄表示領域ｅに対応したドットセグメント８０２ｅ）と第２始動口に対応した発光部材（特図２用の第四図柄表示領域ｅに対応したドットセグメント８０２ｅ）を有する構成とすることは，当業者が適宜行えることであり，上記相違点に係る本願発明の構成にすることは，当業者が容易に想到し得たことである。
　そして，本願発明の作用効果は，引用発明及び周知技術からみて格別なものではない。
　よって，本願発明は，引用発明及び周知技術に基づいて，当業者が容易に発明をすることができたものであるので，特許法第２９条第２項の規定により特許を受けることができない。
７．むすび
　以上のとおり，本願発明は，特許法第２９条第２項の規定に基づいて特許を受けることができないものである。
　したがって，本願は拒絶すべきである。
　よって，結論のとおり審決する。